(57)【特許請求の範囲】
【請求項１】
身箱と背面板とから少なくともなっており、
該身箱が、底板と該底板より連接して起立する左側板と該左側板と対峙する位置で該底板より連接して起立する右側板とから少なくともなっており、
該左側板と該右側板の両方の対峙する位置に対となる左側板係止部と右側板係止部が一対以上設けられており、
前記背面板が少なくとも一つ以上の上下動連接体からなり、
該上下動連接体が上下動板と該上下動板と山折目を介して連接する回転板とからなり、
該山折目において上下動板と回転板がなす山折目連接角度が上面からの角度で２７０度以上３６０度以下で角度可変となっており、
前記上下動板または前記回転板またはその双方の前記山折目の左端の近傍および右端の近傍に各々左側張出部と右側張出部を有し、
前記左側板の内面と前記右側板の内面との距離より前記左側張出部の先端と前記右側張出部の先端との距離の方が長く、
前記上下動板または前記回転板またはその双方の前記張出部以外の部分における幅が前記左側板の内面と前記右側板の内面との距離より短く、
前記左側板係止部に前記左側張出部が嵌合し、
前記右側板係止部に前記右側張出部が嵌合し、
前記左側係止部と前記右側係止部からなる係止部対における前記左側張出部と前記右側張出部からなる張出部対の位置が高い位置と低い位置との間で上下移動自在な構造となっており、
前記背面板がさらに上下動しない固定連接体を有するとともに、前記上下動連接体が該固定連接体と連接しており、前記上下動連接体と該固定連接体がなす谷折目連接角度が上面からの角度で０度以上９０度以下で角度可変となっており、
前記固定連接体が、前記上下動連接体と連接している固定背面板と、該固定背面板の反対側で連接している起立板とからなり、前記固定背面板と前記起立板がなす山折目連接角度が上面からの角度で２９０度以上３６０度以下で固定角度となっており、
前記身箱がさらに固定連接体押さえ部材を有するとともに、
該固定連接体押さえ部材が差込板と覆板とからなり、該差込板と該覆板が上面からの角度で１８０度以上３６０度以下の角度可変に連接しており、該差込板の先端部が前記起立板と身箱の間に挟まれており、該覆板の先端部が前記固定背面板と前記上下動連接体の間に挟まれている紙箱。
【請求項２】
前記左側係止部および前記右側係止部からなる係止部対が複数対有するとともに、前記背面板が前記上下動板と前記回転板からなる前記上下動連接体を複数有するとともに、前記上下動連接体どうしが谷折目を介して連接しており、前記上下動連接体どうしがなす谷折目連接角度が上面からの角度で０度以上９０度以下で角度可変となっている請求項１記載の紙箱。
【請求項３】
身箱が前記底板と該底板より各々起立する左側板と右側板と前側板と後側板を有し、左側板と前側板、左側板と後側板、右側板と前側板、右側板と後側板が各々接している請求項１または２記載の紙箱。
【請求項４】
紙箱が、さらに天面押さえ部材を有し、該天面押さえ部材が前記左側板の上端と前記右側板の上端がなす身箱内部の仮想内部天面の少なくとも一部で上方から身箱内部を押さえている請求項１から３何れか記載の紙箱。
【請求項５】
該天面押さえ部材が、身箱と連接している蓋、もしくは、身箱と連接していない蓋、もしくは、身箱全体を収納する外箱、もしくは、一部が開口する外箱本体と該外箱本体の開口を閉鎖する蓋とからなる外箱からなる請求項４記載の紙箱。
【請求項６】
前記左側板と前記右側板の両方が各々内面板と外面板の二枚以上の板からなっており、各々の内面板にのみ前記係止部を有する請求項１から５何れか記載の紙箱。
【請求項７】
前記係止部が各々斜めに形成されている請求項１から６何れか記載の紙箱。
【請求項８】
前記係止部が切込みから構成され、該切込みが湾曲している請求項７記載の紙箱。
【請求項９】
前記上下動板もしくは前記上下動板と固定背面板に中仕切舌片を複数有し、該中仕切舌片が起立可能である請求項１から８何れか記載の紙箱。
【発明の詳細な説明】
【技術分野】
【０００１】
本件発明は、内容物が容易に内部で移動せず、そのまま美麗に陳列することができる紙箱に掛かる。
【背景技術】
【０００２】
内容物を紙箱に収納したまま陳列することができる紙箱としては、特許文献１のような紙箱が知られている。すなわち、紙箱の底面に傾斜状に支持される多数の受け部を配列することにより、その傾斜状の支持受け部ごとに内容物を配すことにより、紙箱の蓋を開いた状態のまま内容物を傾斜して陳列することが可能になっている。
【０００３】
他方、そのような内容物を支持する受け部の位置がずれることがない様にする技術として、特許文献２のような紙箱が知られている。すなわち、波状に収納することができる支持受け部と直交して縦仕切りを設け、その縦仕切りと支持受け部を切込みと切欠きを嵌め合わせることで支持受け部の変形を防止できることとなったものである。
【０００４】
それとは別に、特許文献３のような舌片を起立させて仕切りとする技術も知られており、また、特許文献４のように内容物の上面を覆う部材を設ける技術も知られている。
【先行技術文献】
【特許文献】
【０００５】
【特許文献１】実公平５−０２６０２５号公報
【特許文献２】実公平４−０２０７４１号公報
【特許文献３】実用新案登録第３０１０３３８号公報
【特許文献４】実用新案登録第２５１８７１２号公報
【発明の概要】
【発明が解決しようとする課題】
【０００６】
しかし、特許文献１の様な紙箱では内容物を展示する位置は固定であり、内容物の厚さや個数は想定している形状や個数にしか対応することができなかった。さらに、このような紙箱では内容物の運搬等により内容物の位置がずれたり偏ったりする場合があり、箱を開放した場合に展示性が低下したり、内容物の種類によっては内容物が変形してしまうおそれもあった。
【課題を解決するための手段】
【０００７】
上記の課題を解決するため、請求項１にかかる発明では、身箱と背面板とから少なくともなっており、
該身箱が、底板と該底板より連接して起立する左側板と該左側板と対峙する位置で該底板より連接して起立する右側板とから少なくともなっており、
該左側板と該右側板の両方の対峙する位置に対となる左側板係止部と右側板係止部が一対以上設けられており、
前記背面板が少なくとも一つ以上の上下動連接体からなり、
該上下動連接体が上下動板と該上下動板と山折目を介して連接する回転板とからなり、
該山折目において上下動板と回転板がなす山折目連接角度が上面からの角度で２７０度以上３６０度以下で角度可変となっており、
前記上下動板または前記回転板またはその双方の前記山折目の左端の近傍および右端の近傍に各々左側張出部と右側張出部を有し、
前記左側板の内面と前記右側板の内面との距離より前記左側張出部の先端と前記右側張出部の先端との距離の方が長く、
前記上下動板または前記回転板またはその双方の前記張出部以外の部分における幅が前記左側板の内面と前記右側板の内面との距離より短く、
前記左側板係止部に前記左側張出部が嵌合し、
前記右側板係止部に前記右側張出部が嵌合し、
前記左側係止部と前記右側係止部からなる係止部対における前記左側張出部と前記右側張出部からなる張出部対の位置が高い位置と低い位置との間で上下移動自在な構造となっており、
前記背面板がさらに上下動しない固定連接体を有するとともに、前記上下動連接体が該固定連接体と連接しており、前記上下動連接体と該固定連接体がなす谷折目連接角度が上面からの角度で０度以上９０度以下で角度可変となっており、
前記固定連接体が、前記上下動連接体と連接している固定背面板と、該固定背面板の反対側で連接している起立板とからなり、前記固定背面板と前記起立板がなす山折目連接角度が上面からの角度で２９０度以上３６０度以下で固定角度となっており、
前記身箱がさらに固定連接体押さえ部材を有するとともに、
該固定連接体押さえ部材が差込板と覆板とからなり、該差込板と該覆板が上面からの角度で１８０度以上３６０度以下の角度可変に連接しており、該差込板の先端部が前記起立板と身箱の間に挟まれており、該覆板の先端部が前記固定背面板と前記上下動連接体の間に挟まれている紙箱を提供するものである。
【０００８】
また、請求項２にかかる発明では、前記左側係止部および前記右側係止部からなる係止部対が複数対有するとともに、前記背面板が前記上下動板と前記回動板からなる前記上下動連接体を複数有するとともに、前記上下動連接体どうしが谷折目を介して連接しており、前記上下動連接体どうしがなす谷折目連接角度が上面からの角度で０度以上９０度以下で角度可変となっている請求項１記載の紙箱を提供するものである。
【００１２】
また、請求項３にかかる発明では、身箱が前記底板と該底板より各々起立する左側板と右側板と前側板と後側板を有し、左側板と前側板、左側板と後側板、右側板と前側板、右側板と後側板が各々接している請求項１または２記載の紙箱を提供するものである。
【００１３】
また、請求項４にかかる発明では、紙箱が、さらに天面押さえ部材を有し、該天面押さえ部材が前記左側板の上端と前記右側板の上端がなす身箱内部の仮想内部天面の少なくとも一部で上方から身箱内部を押さえている請求項１から３何れか記載の紙箱を提供するものである。
【００１４】
また、請求項５にかかる発明では、該天面押さえ部材が、身箱と連接している蓋、もしくは、身箱と連接していない蓋、もしくは、身箱全体を収納する外箱、もしくは、一部が開口する外箱本体と該外箱本体の開口を閉鎖する蓋とからなる外箱からなる請求項４記載の紙箱を提供するものである。
【００１５】
また、請求項６にかかる発明では、前記左側板と前記右側板の両方が各々内面板と外面板の二枚以上の板からなっており、各々の内面板にのみ前記係止部を有する請求項１から５何れか記載の紙箱を提供するものである。
【００１６】
また、請求項７にかかる発明では、前記係止部が各々斜めに形成されている請求項１から６何れか記載の紙箱を提供するものである。
【００１７】
また、請求項８にかかる発明では、前記係止部が切込みから構成され、該切込みが湾曲している請求項７記載の紙箱を提供するものである。
【００１８】
また、請求項９にかかる発明では、前記上下動板もしくは前記上下動板と固定背面板に中仕切舌片を複数有し、該中仕切舌片が起立可能である請求項１から８何れか記載の紙箱を提供するものである。
【発明の効果】
【００１９】
本件発明によれば、内容物が可変、すなわち内容物の厚さや個数が変化しても違和感なく適切かつ見た目よく収納することが可能で、その収納状態のまま蓋を開くか除くだけで容易に展示することが可能になった。それのみならず、内容物の運搬等を行ったり倒れたいした場合であっても、内容物の位置がそのまま保持することが可能になり、ずれたり偏ったりすることを防止することが可能になり、箱を開放した場合にも収納状態を維持できるため、展示性が高い。
【００２０】
さらに、仮想内部天面までの内部高さを外箱や蓋などの手段により制限することにより、背面板や固定連接体押さえ部材による変形復元力が働き、それによりクッション性が与えられ、これにより内容物に若干の圧力がかかり続けることが可能になり、その圧力により静置した場合に比べて背面板や固定連接体押さえ部材と内容物との間の摩擦力が向上し、内容物が偏って紙箱の内部で密集して内容物が変形する可能性が減少した。特に、内容物が脆弱性の物品や、変形しやすい物品の場合、変形により美粧性が低下する様な物品で特に効果が高い。
【図面の簡単な説明】
【００２１】
【図１】本発明に係る紙箱を、内容物を入れていない状態で組み上げた状態で、外箱に入れている途中の状態を示す斜視図である。
【図２】本発明に係る図１の紙箱の、身箱の展開図である。
【図３】本発明に係る図１の紙箱の、背面板の展開図である。
【図４】本発明に係る図１の紙箱の、固定連接体押さえ部材の展開図である。
【図５】本発明に係る図１の外箱の展開図である。
【図６】本発明に係る図１の紙箱を、内容物を入れていない状態で組み上げ、これを外箱に入れる前の状態を示す斜視図である。
【図７】本発明に係る紙箱の、身箱を組み上げ、係止部を省略した状態を示す斜視図である。
【図８】本発明に係る紙箱の、身箱に背面板を入れた状態を示す前後方向に切断した状態の概念断面図である。
【図９】本発明に係る図８の紙箱の、身箱に背面板を入れ、さらに内容物を入れるとともに固定連接体押さえ部材を設け、さらに仮想内部天面において上下動が規制された状態を示す前後方向の概念断面図である。
【図１０】本発明に係る紙箱の、身箱を組み上げた状態を示す左右方向に切断した状態の概念断面図である。
【図１１】本発明に係る紙箱の、背面板の一つの上下動連接体を示す概念斜視図である。
【図１２】本発明に係る紙箱の、固定連接体を示す概念斜視図である。
【図１３】本発明に係る図１の紙箱を、内容物を入れていない状態で組み上げた状態で、外箱に入れ、蓋を閉じていない状態を示す斜視図である。
【図１４】本発明に係る図１の紙箱の、固定連接体押さえ部材の斜視図である。
【図１５】本発明に係る図１の紙箱を、内容物を入れていない状態で組み上げた状態で、外箱に入れ、蓋を閉る寸前の状態を示す斜視図である。
【発明を実施するための形態】
【００２２】
以下、背面板が上下動連接体を二つ持ち、さらに固定連接体も具える構造の紙箱で代表させて、図面を参照しながら本発明の形態について説明する。
【００２３】
図２は本発明に係る紙箱の身箱１の展開図であり、図３は、本発明に係る紙箱の背面板２の展開図であり、図４は、本発明に係る紙箱の、固定連接体押さえ部材３の展開図である。
【００２４】
この紙箱は、身箱１と背面板２からなっているものが代表的であるが、さらに固定連接体押さえ部材３を有する構造で代表させて図面を用いて説明する。
【００２５】
身箱１は、図２で示す様に、底板１１と左側板１２と右側板１３が必須であり、前側板１４と後側板１５は必須でないが、少なくとも左側板１２と右側板１３が起立している状態を維持していることが必要である。
【００２６】
この実施の形態では、連接部材１６１により左側板１２と前側板１４、連接部材１６２により左側板１２と後側板１５、連接部材１６３により右側板１３と前側板１４、連接部材１６４により右側板１３と後側板１５が各々互いに固定されていることにより左側板１２と右側板１３が底板１１から起立している。
【００２７】
また、この左側板１２と右側板１３と前側板１４と後側板１５は内面板と外面板により二重化して複板構造になっている。
【００２８】
すなわち、左側板１２は、左側板外面板１２１と、左側板上面板１２２と、左側板内面板１２３と、左側板折込板１２４とからなって、各々左側板折目１２５で連接している。すなわち、底板１と連接する左側板外面板１２１とは第一左側板折目１２５１を介して連接し、左側板外面板１２１と左側板上面板１２２とは第二左側板折目１２５２を介して連接し、左側板上面板１２２と左側板内面板１２３は第三左側板折目１２５３を介して連接し左側板内面板１２３と左側板折込板１２４は第四左側板折目１２５４を介して連接している。
【００２９】
同様に、右側板１３は、右側板外面板１３１と、右側板上面板１３２と、右側板内面板１３３と、右側板折込板１３４とからなって、各々右側板折目１３５で連接している。すなわち、底板１と連接する右側板外面板１３１とは第一右側板折目１３５１を介して連接し、右側板外面板１３１と右側板上面板１３２とは第二右側板折目１３５２を介して連接し、右側板上面板１３２と右側板内面板１３３は第三右側板折目１３５３を介して連接し右側板内面板１３３と右側板折込板１３４は第四右側板折目１３５４を介して連接している。
【００３０】
同様に、前側板１４は、前側板外面板１４１と、前側板上面板１４２と、前側板内面板１４３と、前側板折込板１４４とからなって、各々前側板折目１４５で連接している。すなわち、底板１と連接する前側板外面板１４１とは第一前側板折目１４５１を介して連接し、前側板外面板１４１と前側板上面板１４２とは第二前側板折目１４５２を介して連接し、前側板上面板１４２と前側板内面板１４３は第三前側板折目１４５３を介して連接し前側板内面板１４３と前側板折込板１４４は第四前側板折目１４５４を介して連接している。
【００３１】
同様に、後側板１５は、後側板外面板１５１と、後側板上面板１５２と、後側板内面板１５３と、後側板折込板１５４とからなって、各々後側板折目１５５で連接している。すなわち、底板１と連接する後側板外面板１５１とは第一後側板折目１５５１を介して連接し、後側板外面板１５１と後側板上面板１５２とは第二後側板折目１５５２を介して連接し、後側板上面板１５２と後側板内面板１５３は第三後側板折目１５５３を介して連接し後側板内面板１５３と後側板折込板１５４は第四後側板折目１５５４を介して連接してい
る。
【００３２】
また、この左側板内面板１２３と右側板内面板１３３には各々対となる係止部が設けられている。この実施例では切込みにより構成されている係止部となっており、それが二対設けられている。すなわち、左側板第一係止部１２６と左側板第二係止部１２７と右側板第一係止部１３６と右側板第二係止部１３７であり、このうち左側板第一係止部１２６と右側板第一係止部１３６が向かい合って対になっている位置に形成されており、左側板第二係止部１２７と右側板第二係止部１３７が向かい合って対になっている位置に形成されている。
【００３３】
なお、各々の係止部は、折目と切込みから構成され、そのうち折目が左右の内面板の底面から上面に至る途中まで向かって後から前に設けられ、その折目の上端および下端から後ろに向かって伸びる水平部と、上面水平部端と下面水平部端を後ろに湾曲しならがつなぐ湾曲部とから構成される切込みと、その折目と切込みで区切られる領域がフラップ形状を形成している。
【００３４】
すなわち、左側板第一係止部１２６は、左側板第一係止折目１２６１が左側板内面板１２３の底面から上面に向かって後から前に設けられ、その左側板第一係止折目１２６１の上端および下端からフラップ形状を形成する様に、左側板第一係止切込み１２６２が設けられている。
【００３５】
それと対になる右側板第一係止部１３６は、右側板第一係止折目１３６１が右側板内面板１３３の底面から上面に向かって後から前に設けられ、その右側板第一係止折目１３６１の上端および下端からフラップ形状を形成する様に、右側板第一係止切込み１３６２が設けられている。
【００３６】
またさらに、左側板第二係止部１２７は、左側板第二係止折目１２７１が左側板内面板１２３の底面から上面に向かって後から前に設けられ、その左側板第一係止折目１２７１の上端および下端からフラップ形状を形成する様に、左側板第二係止切込み１２７２が設けられている。
【００３７】
それと対になる右側板第二係止部１３７は、右側板第二係止折目１３７１が右側板内面板１３３の底面から上面に向かって後から前に設けられ、その右側板第二係止折目１３７１の上端および下端からフラップ形状を形成する様に、右側板第二係止切込み１３７２が設けられている。
【００３８】
また、左側板内面板１２３の前側に固定フラップ１２３１が折目を介して連接して設けられており、同様に左側板内面板１２３の後側にも固定フラップ１２３２が折目を介して連接して設けられている。
【００３９】
また、右側板内面板１３３の前側に固定フラップ１３３１が折目を介して連接して設けられており、同様に左側板内面板１３３の後側にも固定フラップ１３３２が折目を介して連接して設けられている。
【００４０】
背面板２は、図３に示す様に、上下動板と回転板とからなる上下動連接体が設けられていることが必須だが、この実施例では第一上下動板２１１と第一回転板２１２とからなる第一の上下動連接体２１と、第二上下動板２２１と回転板２２２とからなる第二の上下動連接体２２と、さらに固定背面板２３１と起立板２３２とからなる固定連接体とからなる。
【００４１】
この場合の第一上下動板２１１と第一回転板２１２は、左側板１２や右側板１３と直交する方向に設けられた、互いに、上面からの角度で２７０度以上３６０度以下の固定角度ではない可変角度の第一山折目２４１を介して連接している。
【００４２】
また、第一回転板２１２と第二上下動板２２１は、左側板１２や右側板１３と直交する方向に設けられた、互いに、上面からの角度で０度以上９０度以下の固定角度ではない可変角度の第一谷折目２４２を介して連接している。
【００４３】
また、第二上下動板２２１と第二回転板２２２は、左側板１２や右側板１３と直交する方向に設けられた、互いに、上面からの角度で２７０度以上３６０度以下の固定角度ではない可変角度の第二山折目２４３を介して連接している。
【００４４】
また、第二回転板２２２と固定背面板２３１は、左側板１２や右側板１３と直交する方向に設けられた、互いに、上面からの角度で０度以上９０度以下の固定角度ではない可変角度の第二谷折目２４４を介して連接している。
【００４５】
また、固定背面板２３１と起立板２３２は、左側板１２や右側板１３と直交する方向に設けられた、、互いに、上面からの角度で２７０度以上３６０度以下の固定角度で第三山折目２４５を介して連接している。この第三山折目２４５の角度を固定するために角度固定部材２３３も有している。
【００４６】
これは、角度固定部材２３３は、固定背面板２３１の左右に連接している左右の角度固定部材２２３１と、その角度固定部材２２３１と連接している角度固定フラップ２２３２からなっており、角度固定フラップ２２３２が起立板２３２に貼り合せ等の手段で固定されていることによって、固定背面板２３１と起立板２３２の第三山折目２４５を介しての連接角度が固定される。
【００４７】
その上で、第一上下動板２１１の第一山折目２４１の両近傍には左側第一上下動板張出部２１１１と右側第一上下動板張出部２１１２とからなる張出部が設けられ、第一山折目２４１の長さ、すなわち、図１１の様なその両張出部の先端どうしの距離Ｌ２１１５は、図１０の様に身箱１の左側板内面板１２１と右側板内面板１３１との距離である左右側板内面の幅Ｗ１７１よりも長く設定されている。
【００４８】
また、両張出部の先端どうしの距離Ｌ２１１５は左右側板内面の幅Ｗ１７１に左右側板の厚みｄ１７２の倍の距離を加えた長さ、すなわち、左右側板外面間の距離Ｗ１７２より短くなっている。
【００４９】
また、第一回転板２１２の第一山折目２４１の両近傍には左側第一回転板張出部２１２１と右側第一回転板張出部２１２２とからなる張出部が設けられ、その両張出部の先端どうしの距離Ｌ２１２５は身箱１の左側板内面板１２１と右側板内面板１３１との距離である左右側板内面の幅Ｗ１７１よりも長く設定されている。また、両張出部の先端どうしの距離Ｌ２１２５は左右側板内面の幅Ｗ１７１に左右側板の厚みｄ１７２の倍の距離を加えた長さ、すなわち、左右側板外面間の距離Ｗ１７２より短くなっている。
【００５０】
その上で、第二上下動板２２１の第二山折目２４３の両近傍には左側第二上下動板張出部２２１１と右側第二上下動板張出部２２１２とからなる張出部が設けられ、第二山折目２４３の長さ、すなわち、その両張出部の先端どうしの距離Ｌ２２１５は身箱１の左側板内面板１２１と右側板内面板１３１との距離である左右側板内面の幅Ｗ１７１よりも長く設定されている。また、両張出部の先端どうしの距離Ｌ２２１５は左右側板内面の幅Ｗ１７１に左右側板の厚みｄ１７２の倍の距離を加えた長さ、すなわち、左右側板外面間の距離Ｗ１７２より短くなっている。
【００５１】
また、第二回転板２２２の第一山折目２４３の両近傍には左側第一回転板張出部２２２１と右側第一回転板張出部２２２２とからなる張出部が設けられ、その両張出部の先端どうしの距離Ｌ２２２５は身箱１の左側板内面板１２１と右側板内面板１３１との距離である左右側板内面の幅Ｗ１７１よりも長く設定されている。また、両張出部の先端どうしの距離Ｌ２２２５は左右側板内面の幅Ｗ１７１に左右側板の厚みｄ１７２の倍の距離を加えた長さ、すなわち、左右側板外面間の距離Ｗ１７２より短くなっている。
【００５２】
それに対して、第一上下動板２１１の第一山折目２４１の両近傍以外である、左側第一上下動板張出部２１１１と右側第一上下動板張出部２１１２とからなる張出部が設けられていない場所どうしの距離Ｗ２１１４は身箱１の左側板内面板１２１と右側板内面板１３１との距離Ｗ１７１よりも若干短く設定されている。
【００５３】
また、第二上下動板２２１の第二山折目２４３の両近傍以外である、左側第二上下動板張出部２２１１と右側第一上下動板張出部２２１２とからなる張出部が設けられていない場所どうしの距離Ｌ２２１５は身箱１の左側板内面板１２１と右側板内面板１３１との距離Ｗ１７１よりも若干短く設定されている。
【００５４】
また、固定背面板２３１と起立板２３２の幅である固定背面板の幅Ｗ２３４は、図１２の様に、角度固定部材２３３により互いに２７０度以上の固定角度の第三山折目２４５を介して連接している状態で、身箱１の左側板内面板１２１と右側板内面板１３１との距離Ｗ１７１よりも若干短く設定されている。
【００５５】
加えて、第一上下動板２１１には、折目とその両端を例えばＵ字状に結ぶ切込みが設けられて起立フラップ２１１３が多数形成されており、折目を起立させると、内容物の中仕切りとして用いることができる。
【００５６】
この起立フラップ２１１３は、折目が前後方向に設けられるものでも、左右方向に設けられるものでも構わないし、その両方向のフラップが設けられるものでも構わない。この起立フラップは、内容物５が第一上下動板２１１上に複数収納する場合、その内容物５どうしを仕切る役割を果たす。従って、内容物５の個数や大きさに応じて起立させたり起立させなかったり適宜調整することができる。
【００５７】
加えて、第一上下動板２１１には、折目とその両端を例えばＵ字状に結ぶ切込みが設けられて起立フラップ２１１３が多数形成されており、折目を起立させると、内容物の中仕切りとして用いることができる。
【００５８】
この起立フラップ２１１３は、折目が前後方向に設けられるものでも、左右方向に設けられるものでも構わないし、その両方向のフラップが設けられるものでも構わない。この起立フラップは、内容物５が第一上下動板２１１上に複数収納する場合、その内容物５どうしを仕切る役割を果たす。従って、内容物５の個数や大きさに応じて起立させたり起立させなかったり適宜調整することができる。
【００５９】
また、第二上下動板２２１にも、折目とその両端を例えばＵ字状に結ぶ切込みが設けられて起立フラップ２２１３が多数形成されており、折目を起立させると、内容物の中仕切りとして用いることができる。
【００６０】
この起立フラップ２２１３も、折目が前後方向に設けられるものでも、左右方向に設けられるものでも構わないし、その両方向のフラップが設けられるものでも構わない。この
起立フラップは、内容物５が第二上下動板２２１上に複数収納する場合、その内容物５どうしを仕切る役割を果たす。従って、内容物５の個数や大きさに応じて起立させたり起立させなかったり適宜調整することができる。
【００６１】
また、固定背面板２３１にも、折目とその両端を例えばＵ字状に結ぶ切込みが設けられて起立フラップ２３１１が多数形成されており、折目を起立させると、内容物５の中仕切りとして用いることができる。
【００６２】
この起立フラップ２３１１も、折目が前後方向に設けられるものでも、左右方向に設けられるものでも構わないし、その両方向のフラップが設けられるものでも構わない。この起立フラップは、内容物５が固定背面板２３１上に複数収納する場合、その内容物５どうしを仕切る役割を果たす。従って、内容物５の個数や大きさに応じて起立させたり起立させなかったり適宜調整することができる。
【００６３】
第一山折目２４１は、力が全く掛かっていない自由状態では、第一上下動板２１１と第一回転板２１２が、上面からの角度で２７０度以上３６０度以下の自然状態の第一山折目連接角度θ２４１１に山折りされているが、内容物５を収納し、さらに天面が仮想内部天面１７３で押さえられ、身箱内部１７が内部高さｈ１７３以内に押し込まれている場合は、収納時の第一山折目連接角度θ２４１２に山折りされている。さらに、最大押し込まれた場合は、完全に折り込まれて第一上下動板２１１と第一回転板２１２が接する、上面からの角度で３６０度の状態まですることができる。
【００６４】
第一谷折目２４２は、力が全く掛かっていない自由状態では、第一回転板２１２と第二上下動板２２１とが、上面からの角度で０度以上９０度以下の自然状態の第一谷折目連接角度θ２４２１に谷折りされているが、内容物５を収納し、さらに天面が仮想内部天面１７３で押さえられ、身箱内部１７が内部高さｈ１７３以内に押し込まれている場合は、収納時の第一谷折目連接角度θ２４２２に谷折りされている。さらに、最大押し込まれた場合は、完全に折り込まれて第一回転板２１２と第二上下動板２２１とが接する、上面からの角度で０度の状態まですることができる。
【００６５】
これにより、力が全く掛かっていない自由状態では、第一上下動板２１１と第一回転板２１２と第二上下動板２２１とがＺ字状になっている。
【００６６】
他方、上方から加圧すると、第一上下動板２１１と第一回転板２１２と第二上下動板２２１とが高さの低いＺ字状となる。
【００６７】
他方、上方から加圧し、最後まで押し込まれると、第一上下動板２１１と第一回転板２１２と第二上下動板２２１とが折り重なった状態となる。
【００６８】
第二山折目２４３は、力が全く掛かっていない自由状態では、第二上下動板２２１と第二回転板２２２が、上面からの角度で２７０度以上３６０度以下の自然状態の第二山折目連接角度θ２４３１に山折りされているが、内容物５を収納し、さらに天面が仮想内部天面１７３で押さえられ、身箱内部１７が内部高さｈ１７３以内に押し込まれている場合は、収納時の第二山折目連接角度θ２４３２に山折りされている。さらに、最大押し込まれた場合は、第二上下動板２２１が第二山折目２４３部分で固定背面板２３１に接する角度の状態まですることができる。
【００６９】
第二谷折目２４２は、力が全く掛かっていない自由状態では、第二回転板２２１と固定背面板２３１とが、上面からの角度で０度以上９０度以下の自然状態の第二谷折目連接角度θ２４４１に谷折りされているが、内容物５を収納し、さらに天面が仮想内部天面１７
３で押さえられ、身箱内部１７が内部高さｈ１７３以内に押し込まれている場合は、収納時の第二谷折目連接角度θ２４４２に谷折りされている。さらに、最大押し込まれた場合は、完全に折り込まれて第二回転板２２２と固定背面板２３１とが接する、上面からの角度で０度の状態まですることができる。
【００７０】
これにより、力が全く掛かっていない自由状態では、第二上下動板２２１と第二回転板２２２と固定背面板２３１とが変形Ｚ字状になっている。
【００７１】
他方、上方から加圧すると、第二上下動板２２１と第二回転板２２２と固定背面板２３１とが狭い変形Ｚ字状となる。
【００７２】
他方、上方から加圧し、最後まで押し込まれると、第二回転板２２２と固定背面板２３１とが折り重なった状態となり、それに第二上下動板２２１がもたれかかる構造になっている。
【００７３】
次に、固定連接体押さえ部材３は、図４に示す様に、覆板３１と差込板３２とからなり、覆板３１と差込板３２とは非固定角度の山折目３３で連接している。また、覆板３１には開口部３１１が必要に応じて複数設けられている。
【００７４】
この覆板３１と差込板３２の幅は両方とも、身箱１の左側板内面板１２１と右側板内面板１３１との距離よりも若干狭い設定されている。
【００７５】
また、この覆板３１の前後方向の長さは、固定背面板２３１の前後方向の長さより若干長くなっており、差込板３２の上下方向の長さは、起立板２３２の上下方向の長さより若干長くなっている。
【００７６】
その上で、この覆板３１は、前後方向に若干湾曲しており、上方に向かって凸状の形状となっている。
【００７７】
そして、強度の関係上、身箱１、背面板２、固定連接体押さえ部材３、外箱４は、おのおの前後方向の紙目で製作した。この場合の紙目方向は、身蓋１の場合、底板１１部分を基準とした方向である。
【００７８】
なお、このような身箱１、背面板２、固定連接体押さえ部材３は各々独立したブランクから構成されている必要はなく、例えば前側板折込板１４４を設ける代わりに、前側板内面板１４３の端部が谷折線を介して背面板２の第一上下動板２１１の端部と繋がっている構成でも構わない。同様に、背面板２の起立板２３２の端部が、固定連接体押さえ部材３の差込板３２の端部と繋がっている構成でも構わない。
【００７９】
さらに、前側板内面板１４３の端部が谷折線を介して背面板２の第一上下動板２１１の端部と繋がって、背面板２の起立板２３２の端部が固定連接体押さえ部材３の差込板３２の端部と繋がっている一枚のブランクから成り立っている構成でも構わない。
【００８０】
次に、天面押さえ部材につき、それが外箱である場合を用いて図１を用いて説明する。外箱５は図５のように、外箱底板４１から左側に外箱左側第一折目４２６１を介して外箱左側板４２１が連接し、外箱左側板４２１から左側に外箱左側第二折目４２６２を介して外箱左側天板４２２が連接し、外箱底板４１から右側に外箱右側第一折目４３６１を介して外箱右側板４３１が連接し、外箱右側板４３１から右側に外箱右側第二折目４３６２を介して外箱右側天板４３２が連接している。
【００８１】
また、外箱底板４１から前側に外箱前側第一折目４４６１を介して外箱前側板４４１が連接し、外箱前側板４４１から前側に外箱左側第二折目４４６２を介して外箱前側天板４４２が連接し、外箱前側天板４４２から前側に外箱前側第三折目４４６３を介して外箱天板固定板４４３が連接し、外箱天板固定板４４３から前側に外箱左側第四折目４４６４を介して外箱天板固定板押さえ板４４４が連接している。但し、外箱前側第一折目４４６１中央部分にスリット４４５が存在する。
【００８２】
また、外箱底板４１から後側に外箱蓋側第一折目４５６１を介して外箱後側板４５１が連接し、外箱後側板４５１から後側に外箱蓋側第二折目４５６２を介して蓋材４５２が連接し、蓋材４５２から後側に外箱蓋側第三折目４５６３を介して蓋材前側板４５３が連接し、蓋材前側板４５３から後側に外箱蓋側第四折目４５６４を介してフラップ４５４が連接している。
【００８３】
また、外箱左側板４２１と外箱前側板４４１の間、外箱右側板４３１と外箱前側板４４１の間、外箱左側板４２１と外箱後側板４５１の間、外箱右側板４３１と外箱後側板４５１の間には各々外箱側板連接体４６１、４６２、４６３、４６４が設けられている。
【００８４】
この外箱４は、外箱底板４１から外箱左側板４２１と外箱右側板４３１と外箱前側板４４１を折り立て、さらに、外箱左側天板４２２と外箱右側天板４３２と外箱前側天板４４２を内側に向かって外箱底板４１と平行になる様にして折り、外箱天板固定板押さえ板４４４を折った上で、外箱天板固定板４４３を下方へ完全に折返し外箱左側天板４２２と外箱右側天板４３２を固定する。
【００８５】
このとき、外箱天板固定板押さえ板４４４が、外箱前側板４４１と完全に面接触するまで押し込むことで、外箱４が図１３のように完成する。なお、このとき、外箱５の内面は、身箱１の外面より前後方向、左右方向、上下方向とも若干大きく作られている。
【００８６】
さらに、外箱左側天板４２２と外箱右側天板４３２と外箱前側天板４４２が上部で固定されていることにより外箱天板４８が設けられるが、上部には外箱天板４８存在しない外箱天面開放部４７１が存在する。もちろん、外箱左側天板４２２と外箱右側天板４３２と外箱前側天板４４２が上部で固定される方法は貼り合せ等でも構わない。
【００８７】
その上で、この外箱４を閉鎖する場合は、外箱底板４１から外箱後側板４５１を折り立て、蓋材４５２を内側に向かって外箱底板４１と平行になる様にして折り、さらに、蓋材前側板４５３を下方に折り、フラップ４５４をスリット４４５に差込み固定することで閉鎖することにより、内容物を完全に包装することができる。閉鎖方法は他の方法によるものでも構わない。
【００８８】
次に、このような紙箱は、身箱１を図７の様に組み立て、その身箱１の中に背面板２を入れ、各係止部に張出部を嵌める図６の様な状態で使用する。
【００８９】
すなわち、身箱１の底板１１から、左側板１２、右側板１３、前側板１４、後側板１５を、各々第一左側板折目１２５１、第一右側板折目１３５１、第一前側板折目１４５１、第一後側板折目１５５１から山折りに折って起立させる。
【００９０】
次に、第二左側板折目１２５２と第二右側板折目１３５２から底板１１と水平になるように山折りに折り、第三左側板折目１２５３と第三右側板折目１３５３から下側に山折りに折り込んで押し込むと同時に、第四左側板折目１２５４と第四右側板折目１３５４から底板１１と密着する様に谷折りする。
【００９１】
さらに、第二前側板折目１４５２と第二後側板折目１５５２から底板１１と水平になるように山折りに折り、さらに、連接部材１６１、１６３、および固定フラップ１２３１、１３３１が前側板１４の内部に来るような状態にし、て第三前側板折目１４５３から下側に連接部材１６１、１６３、および固定フラップ１２３１、１３３１を包み込むような状態で山折りに折り込んで押し込むと同時に、第四前側板折目１４５４から底板１１と密着する様に谷折りする。
【００９２】
また、連接部材１６２、１６４、および固定フラップ１２３２、１３３２が後側板１５の内部に来るような状態にし、て第三後側板折目１５５３から下側に連接部材１６２、１６４、および固定フラップ１２３２、１３３２を包み込むような状態で山折りに折り込んで押し込むと同時に、第四後側板折目１５５４から底板１１と密着する様に谷折りする。
【００９３】
最後に、第四前側板折目１４５４と第四後側板折目１５５４が第四左側板折目１２５４と第四右側板折目１３５４より上に来るように引き上げてから底板１１と密着する様に戻す。
【００９４】
これにより、各々の側板が二重化された身箱が形成される。このうち、左側板内面板１２１と右側板内面板１３１には各々左側板第一係止部１２６、左側板第二係止部１２７、右側板第一係止部１３６、右側板第一係止部１３６が設けられているが、各々の係止部が開いていない状態では、各々の側板が二重化されているが、各々の係止部が開いている状態では、その部分だけ側板が二重化されていないものとなる。
【００９５】
この場合、各張出部２１１１、２１１２、２１２１、２１２２、２２１１、２２１２、２２２１、２２２２が各係止部１２６、１２７、１３６、１３７の中で、各切込み１２６２、１２７２、１３６２、１３７２の後側面側の湾曲部分に沿って上下動可能になっている。
【００９６】
これにより、力が全く掛かっていない図８の様な第一上下動板２１１と第一回転板２１２と第二上下動板２２１がＺ字状になっている状態では、各張出部２１１１、２１１２、２１２１、２１２２が各係止部１２６、１３６の中で、各切込み１２６２、１３６２の後側面側の湾曲部分の上端に位置し、これ以上の第一上下動板２１１の上昇と第一回転板２１２の回転を抑止している。
【００９７】
他方、図９の様に上方から加圧し、内容物５を収納し、さらに天面が仮想内部天面１７３で押さえられ、身箱内部１７が内部高さｈ１７３以内に押し込まれている場合は、第一上下動板２１と第一回転板２１２と第二上下動板２２１がが折り重なった状態となって、各切込み１２６２、１３６２の後側面側の湾曲部分の下端の底板１１に接する位置に位置し、これ以上の第一上下動板２１の下降を抑止している。
【００９８】
身箱内部１７が内部高さｈ１７３以内に押し込まれている状態を実現するには、例えば外箱４に収納する等の方法があるが、その手段に限らない。例えば、蓋材４５２により覆っていない状態でも、外箱天板４８により仮想内部天面１７３の左側を外箱左側天板４２２で覆い、右側を外箱右側天板４３２で覆っていれば、中央部分に外箱天面開放部４７１が存在していても、第一上下動板２１１と第一回転板２１２が左側と右側の両端部で内容物５を上面から押さえる状態になるので、結局、内容物５を通して外箱４により間接的にこれ以上の第一上下動連接体２１の下降を抑止している。
【００９９】
しかも、その状態で外箱天面開放部４７１が存在しているために、内容物５が上面から容易に観察できる。
【０１００】
また、力が全く掛かっていない第二上下動板２２１と第二回転板２２２と固定背面板２３１とが変形Ｚ次状になっている状態では、各張出部２２１１、２２１２、２２２１、２２２が各係止部１２７、１３７の中で、各切込み１２７２、１３７２の後側面側の湾曲部分の上端に位置し、これ以上の第二上下動板２２１の上昇と第一回転板２２２の回転を抑止している。この状態は、身箱２を外箱４から外すことで容易に実現できる。
【０１０１】
他方、上方から加圧し、内容物５を収納し、さらに天面が覆板３１で押さえられ、さらにこの覆板３１が仮想内部天面１７３で押さえられ、身箱内部１７が内部高さｈ１７３以内に押し込まれている場合は、第二上下動板２２１と第二回転板２２２が固定背面板２３１に支持されている状態となって、各切込み１２７２、１３７２の後側面側の湾曲部分のほぼ下端の底板１１に近接する位置に位置し、これ以上の第二上下動板２３の下降を抑止している。
【０１０２】
身箱内部１７が内部高さｈ１７３以内に押し込まれている状態を実現するには、上記同様、内容物５を通して外箱４により間接的にこれ以上の第二上下連接体２２の下降を抑止している。しかも、その状態で外箱天面開放部４７１が存在しているために、内容物５が上面から容易に観察できる。
【０１０３】
図１４の様な固定連接体押さえ部材３の覆板３１の湾曲処理は、その柔軟性により必ず処理が必要ではないが、効率良く押さえて内容物５を収納するためには、湾曲処理されている方が好ましい。このような湾曲形状を維持するために固定連接体押さえ部材３のみフィルム貼りや形状維持のための薬液処理を施すことも可能である。
【０１０４】
なお、固定連接体押さえ部材３が透明または半透明のプラスチックシート等で構成する場合は、覆板開口部３１１は設けない構成も可能である。
【０１０５】
その身箱１の中に背面板２を入れた状態で、内容物の大きさなどに合致した起立フラップ２１１３、２２１３、２３１３だけを上方へ折り立て、中仕切りとして、内容物を美麗に配列することが可能になる。
【０１０６】
この場合、内容物が薄い、もしくは背面板２の各仕切られた位置に各々一個の場合は、それを載せても上面との空間に余裕で収納することができるため、背面板２を変形することなく、そのまま第一上下動板２１１、第二上下動板２２１、固定背面板２３１上に収納することができ、そのまま収納のみならず陳列することが可能な構造になっている。
【０１０７】
他方、内容物が厚い、もしくは背面板２の各仕切られた位置に各々二個以上の場合は、それを載せると、をそのままでは背面板２と身蓋１の上面との間に存在する収納空間空間に余裕で収納することができずはみ出してしまうため、蓋や袋などの身蓋１の上面より上の天面を仮想内部天面１７３で規制し内部高さｈ１７３の高さまでに収納位置を限定する蓋や外箱４の外箱天板４８などにより部材による下方に押す力が掛かるようになる。
【０１０８】
これにより上下動板が下がるとともに、回動板が回転して水平に近い角度になり、これによってその上下動連接体がつぶれて平坦もしくはほぼ平坦な構造になることにより、上下動連接体部分において背面板２と身蓋１の上面である仮想内部天面１７３との間に存在する身箱内部１７の収納空間空間が広くなり、これによって身箱１の仮想内部天面１７３より下の収納空間に内容物５を、厚い内容物５であった場合や複数を同一の区画に収納しなければならない場合でも収納可能になる。
【０１０９】
この実施の形態では、背面板２の上下動連接体におけるＺ字構造がクッション性を併せ持っているので、単なる収納の適切化のみならず、内容物の保護にも資する構造となって
いる。また、このようなクッション性により若干の圧が内容物に掛かるため、紙箱の中での内容物の位置が回動せず固定されたままになるので、当初予定されていた収納状況を維持することが可能になる。
【０１１０】
また、この実施形態では上下動連接体は二つ設けられているが、例えば、その第一上下動連接体２１をなす第一上下動板２１１の上には身蓋１の仮想内部天面１７３より下の収納空間に収まる薄手の内容物５を入れ、第二上下動連接体２２をなす第二上下動板２２１の上には薄手の身蓋１の仮想内部天面１７３より下の収納空間からはみ出る厚手もしくは複数の内容物５を入れるなど、上下動板ごとに載せる内容物５の品種や個数などを適宜調整可能になる。
【０１１１】
なお、固定背面板２５の上にも内容物を載せることは可能であるが、固定背面板２３１の角度と高さが固定されているので、身箱１の上面より下の収納空間も固定されて、それより大きかったり多かったりする内容物５であると、その収納空間からあふれてしまうので、そこに載せる内容物５の種類や大きさに制限がある。
【０１１２】
加えて、このような固定背面板２３１にはクッション性が設けられていないので、内容物にクッション性が求められる場合は、固定背面板２３１に載せられている内容物の上に固定連接体押さえ部材３を取り付けることである程度のクッション性を与えることが可能になる。
【０１１３】
すなわち、図９の様に固定連接体押さえ部材３の差込板３２を起立板２３２と身蓋１の後側板内面板１５３との間に差し込むとともに、固定連接体押さえ部材３の反対側の端部である覆板３１の端部を第二回転板２２２と固定背面板２３１との間に挟みこみ、第二谷折目２４３に突き当たるように差込む。この場合、完全に奥まで差込む構造であっても、途中までの差込でも良い構造であっても良い。
【０１１４】
このような構造とすることにより、蓋などの収納空間上面を制限する手段により上から加圧される場合にクッション性を付与することが可能になる。
【０１１５】
例えば、蓋材４５２により覆っていない状態でも、外箱天板４８により仮想内部天面１７３の左側を外箱左側天板４２２で覆い、右側を外箱右側天板４３２で覆っていれば、中央部分に外箱天面開放部４７１が存在していても、固定連接体押さえ部材３が左側と右側の両端部で内容物５を上面から押さえる状態になるので、結局、この固定連接体押さえ部材３により間接的に内容物５を押さえて固定している。
【０１１６】
しかも、このとき、覆板３１には覆板開口部３１１が存在しているために、陳列性も十分であると同時に、覆板開口部３１１が設けられていない部分により内容物５のクッション押さえ効果が発揮できる。
【０１１７】
これにより、単なる収納の適切化のみならず、内容物の保護にも資する構造となっている。さらに、このようなクッション性により若干の圧が内容物に掛かるため、紙箱の中での内容物の位置が回動せず固定されたままになるので、当初予定されていた収納状況を維持することが可能になる。
【０１１８】
さらに、図５のように、外箱４に収納するとき、外箱４として外箱左側天板４２２と外箱右側天板４３２が備わっているものを用い、それに入れるとこの外箱左側天板４２２と外側右側天板４３２によりクッション性が付与された状態を維持することができ、それにより内容物の保護や内容物の予想しえない移動を防止することができるとともに、外箱左側天板４２２と外箱右側天板４３２との間に外箱天面開放部４７１を設けることで、陳列
性も備えることが可能になった。
【０１１９】
もちろんこのような外箱４は、このような構造に特定されるものではなく、身箱１と一体となったものでも構わない。
【０１２０】
この様な外箱４は、このような構造に限られることはなく、外箱左側天板４２２と外箱右側天板４３２で左右両端から仮想内部天面１７３の内部高さｈ１７３に身箱内部１７を規制する必然性はなく、例えば外箱天板４８が透明もしくは半透明プラスチックシートや透明もしくは半透明フィルムになっている外箱４でも同様な効果を奏することができる。
【０１２１】
また、前側から後側まで連続する帯状体や紐が左右一対で設けられていて、それにより左側と右側の両側で仮想内部天面１７３の内部高さｈ１７３に身箱内部１７を規制する構造であっても構わない。
【０１２２】
また、箱の形式を取らなくとも、身箱１に付属させる蓋などの部材により少なくとも左側と右側の両側で仮想内部天面１７３の内部高さｈ１７３に身箱内部１７を規制する構造であっても構わない。
【０１２３】
なお、このような紙箱は、厚紙の他、ダンボール、アート紙、プラスチック板などある程度の形状を維持できる材料であれば各種紙材を使用することが可能であり、また、このような紙材は、身箱１の材質と背面板２の材質と固定連接体押さえ部材３と外箱の材質が同一でも構わないが、そのような必然性はない。
【０１２４】
また、このような身箱１上面の高さを規制する手段として必ずしも外箱を用いる必要はなく、身蓋に直接繋がっている蓋や、独立している蓋、さらに別な袋やシュリンクフィルム等のフィルム押さえにより実現しているものであっても構わない。
【０１２５】
加えて、この紙材として紙に何の処理を施さない紙を使用することも可能だが、耐水層を付加することにより耐水処理を付与するなど、各種処理が施された紙材を用いることも可能であり、必要により外箱４のみを耐水性にすることも可能である。その他、用途によっては耐油処理なども可能である。
【０１２６】
さらに、用途によっては印刷層を部分的または全面に設けることにより、内容物の見栄えをさらに良くさせるために、各種表示を付与する等の印刷を施すことも可能である。
【符号の説明】
【０１２７】
１  身箱
１１  底板
１２  左側板
１２１  左側板外面板
１２２  左側板上面板
１２３  左側板内面板
１２３１、１２３２  固定フラップ
１２４  左側板折込板
１２５  左側板折目
１２５１  第一左側板折目
１２５２  第二左側板折目
１２５３  第三左側板折目
１２５４  第四左側板折目
１２６  左側板第一係止部
１２６１  左側板第一係止折目
１２６２  左側板第一係止切込み
１２７  左側板第二係止部
１２７１  左側板第二係止折目
１２７２  左側板第二係止切込み
１３  右側板
１３１  右側板外面板
１３３１、１３３２  固定フラップ
１３２  右側板上面板
１３３  右側板内面板
１３４  右側板折込板
１３５  右側板折目
１３５１  第一右側板折目
１３５２  第二右側板折目
１３５３  第三右側板折目
１３５４  第四右側板折目
１３６  右側板第一係止部
１３６１  右側板第一係止折目
１３６２  右側板第一係止切込み
１３７  右側板第二係止部
１３７１  右側板第二係止折目
１３７２  右側板第二係止切込み
１４  前側板
１４１  前側板外面板
１４２  前側板上面板
１４３  前側板内面板
１４４  前側板折込板
１４５  前側板折目
１４５１  第一前側板折目
１４５２  第二前側板折目
１４５３  第三前側板折目
１４５４  第四前側板折目
１５  後側板
１５１  後側板外面板
１５２  後側板上面板
１５３  後側板内面板
１５４  後側板折込板
１５５  後側板折目
１５５１  第一後側板折目
１５５２  第二後側板折目
１５５３  第三後側板折目
１５５４  第四後側板折目
１６１、１６２、１６３、１６４  連接部材
１７  身箱内部
１７１  左右側板内面
Ｗ１７１  左右側板内面の幅
１７２  左右側板外面
Ｗ１７２  左右側板外面間の距離
ｄ１７２  左右側板の厚み
１７３  仮想内部天面
ｈ１７３  内部高さ
２  背面板
２１  第一上下動連接体
２１１  第一上下動板
２１１１  左側第一上下動板張出部
２１１２  右側第一上下動板張出部
２１１３  起立フラップ
Ｗ２１１４  張出部以外の部分における幅
Ｌ２１１５  左側張出部の先端と右側張出部の先端との距離
２１２  第一回転板
２１２１  左側第一回転板張出部
２１２２  右側第一回転板張出部
２２  第二上下動連接体
２２１  第二上下動板
２２１１  左側第二上下動板張出部
２２１２  右側第二上下動板張出部
２２１３  起立フラップ
Ｗ２２１４  張出部以外の部分における幅
Ｌ２２１５  左側張出部の先端と右側張出部の先端との距離
２２２  第二回転板
２２２１  左側第二回転板張出部
２２２２  右側第二回転板張出部
２３  固定連接体
２３１  固定背面板
２３１１  起立フラップ
２３２  起立板
２３３  角度固定部材
２３３１  角度固定側板
２３３２  角度固定フラップ
Ｗ２３４  固定背面板の幅
２４  折目
２４１  第一山折目
θ２４１１  自然状態の第一山折目連接角度
θ２４１２  収納時の第一山折目連接角度
２４２  第一谷折目
θ２４２１  自然状態の第一山折目連接角度
θ２４２２  収納時の第一山折目連接角度
２４３  第二山折目
θ２４３１  自然状態の第一山折目連接角度
θ２４３２  収納時の第一山折目連接角度
２４４  第二谷折目
θ２４４１  自然状態の第一山折目連接角度
θ２４４２  収納時の第一山折目連接角度
２４５  第三山折目
３  固定連接体押さえ部材
３１  覆板
３１１  覆板開口部
３２  差込板
３３  山折目
４  外箱
４１  外箱底板
４２１  外箱左側板
４２２  外箱左側天板
４２６１  外箱左側第一折目
４２６２  外箱左側第二折目
４３１  外箱右側板
４３２  外箱右側天板
４３６１  外箱右側第一折目
４３６２  外箱右側第二折目
４４１  外箱前側板
４４２  外箱前側天板
４４３  外箱天板固定板
４４４  外箱天板固定板押さえ板
４４５  スリット
４４６１  外箱前側第一折目
４４６２  外箱前側第二折目
４４６３  外箱前側第三折目
４４６３  外箱前側第四折目
４５１  外箱後側板
４５２  蓋材
４５３  蓋材前側板
４５４  フラップ
４５６１  外箱蓋側第一折目
４５６２  外箱蓋側第二折目
４５６３  外箱蓋側第三折目
４５６４  外箱蓋側第四折目
４６１、４６２、４６３、４６４  外箱側板連接板
４７１  外箱天面開放部
４８  外箱天板
５  内容物
【図１】
0006733291.tif 000002
【図２】
0006733291.tif 000003
【図３】
0006733291.tif 000004
【図４】
0006733291.tif 000005
【図５】
0006733291.tif 000006
【図６】
0006733291.tif 000007
【図７】
0006733291.tif 000008
【図８】
0006733291.tif 000009
【図９】
0006733291.tif 000010
【図１０】
0006733291.tif 000011
【図１１】
0006733291.tif 000012
【図１２】
0006733291.tif 000013
【図１３】
0006733291.tif 000014
【図１４】
0006733291.tif 000015
【図１５】
0006733291.tif 000016